(57)【要約】  減衰力の調節範囲が広く、ダンパの位置の調整作業も容易なダンパ位置調節装置を提供する。  ダンパ位置調節装置は、シリンダ３２ｂに対してロッド２１ａがストロークする複数のダンパ３２が平行に収納されるダンパベース３８と、ダンパベース３８に回転可能に組み込まれ、複数のダンパ３２のストローク方向の端部に接触する側壁を有するダンパ調節軸４０と、を備える。ダンパ調節軸４０を回転させることによって、ダンパ調節軸４０の側壁が、複数のダンパ３２の少なくとも一つをロッド３２ａのストローク方向に押し出し、ダンパベースに対して複数のダンパ３２の少なくとも一つの位置を変化させる。
2011021631.tif 000002
【特許請求の範囲】
【請求項１】
ダンパ本体に対して可動部がストロークする複数のダンパを平行に収納するダンパベースと、
前記ダンパベースに回転可能に組み込まれ、前記複数のダンパのストローク方向の端部に接触する側壁を有するダンパ調節軸と、を備え、
前記ダンパ調節軸をその軸線を中心にして回転させることによって、前記ダンパ調節軸の前記側壁が前記複数のダンパの少なくとも一つを前記可動部のストローク方向に押し出し、前記ダンパベースに対して前記複数のダンパの少なくとも一つの位置を変化させるダンパ位置調節装置。
【請求項２】
前記ダンパ調節軸をその軸線を中心にして回転させることによって、前記複数のダンパの前記ストローク方向の位置を一致させたり、前記複数のダンパの前記ストローク方向の位置を異ならせたりすることができることを特徴とする請求項１に記載のダンパ位置調節装置。
【請求項３】
前記ダンパ調節軸をその軸線を中心にして回転させることによって、前記複数のダンパを押し出していない状態、前記複数のダンパの少なくとも一つを押し出し、残りの少なくとも一つを押し出していない状態、前記複数のダンパを押し出ている状態に切り替わることを特徴とする請求項２に記載のダンパ位置調節装置。
【請求項４】
前記ダンパ調節軸の前記側壁の断面形状が、前記ダンパに接触する辺を有する多角形に形成され、
前記多角形の少なくとも一つの辺は、前記ダンパ調節軸の回転中心からの距離が残りの少なくとも一つの辺と異なり、
前記ダンパ調節軸の前記側壁は、前記複数のダンパのうちの一つに接触する部分の多角形の断面形状が、他の一つのダンパに接触する部分の多角形の断面形状と異なることを特徴とする請求項１ないし３のいずれかに記載のダンパ位置調節装置。
【請求項５】
前記ダンパ調節軸は、外周面に周方向に一定の間隔を空けて複数の位置決め凸部又は複数の位置決め凹部を含む円形部を有し、
前記ダンパベースには、前記ダンパ調節軸の前記円形部が嵌められる孔が空けられ、
前記孔には、内周面に周方向に一定の間隔を空けて前記ダンパ調節軸の複数の位置決め凸部又は複数の位置決め凹部に対応する複数の位置決め凹部又は複数の位置決め凸部が形成され、
前記ダンパベースの前記孔内で前記ダンパ調節軸が一定の角度回転する毎に前記位置決め凸部と前記位置決め凹部とが係合し、前記ダンパ調節軸を位置決めすることができることを特徴とする請求項１ないし４のいずれかに記載のダンパ位置調節装置。
【発明の詳細な説明】
【技術分野】
【０００１】
本発明は、建築物の扉、引き戸、家具の扉、引出し等の移動体が閉じるときの衝撃を緩和するダンパに関し、特にダンパの位置を調節できるダンパ位置調節装置に関する。
【背景技術】
【０００２】
建築物や家具の移動体が急激に閉じられるときの衝撃を緩和するために、ダンパが用いられている。この種のダンパには、ロッド等の可動部がシリンダ等のダンパ本体に対してストロークする伸縮式のダンパ、扉の回転軸に取り付けられて扉の回転に抵抗するロータリー式のダンパ等がある。【０００３】
ダンパの性能は、移動体の重量に合わせて決定される。すなわち、重量の大きい移動体には、発生する減衰力が大きなダンパが選択され、重量の小さい移動体には、発生する減衰力が小さなダンパが選択される。ダンパの性能を最大限生かすためには、移動体の重量に合わせた最適なダンパを選択する必要がある。【０００４】
移動体に作用するダンパの減衰力を調節するために、ダンパに伸縮式のダンパを用い、移動体に接触するダンパの位置を調節して減衰力を調節するダンパ位置調節装置が知られている。【０００５】
特許文献１には、送りねじ機構を用いて伸縮式のダンパのロッドの先端位置を調節する家具用ダンパホルダが開示されている。この家具用ダンパホルダは、外螺子部が形成された移動部と、外螺子部に螺合する内螺子部が形成されたベース部と、からなる。移動部の回動操作によって、移動部がベース部に対して軸方向に移動する。移動部にはダンパが装着されているので、ダンパが移動部と共に軸方向に移動する。【０００６】
特許文献２には、ハウジングにウォームギヤを取り付け、ウォームギヤによってストッパをハウジングに対して位置調節するダンパ装置が開示されている。ストッパにはダンパが接触しているので、ストッパの位置を調節することによって、ダンパの位置を調節することができる。【０００７】
特許文献１及び特許文献２のダンパ位置調節装置によれば、ダンパの位置を調節することができるので、移動体に作用するダンパの減衰力を最適化することができる。
【先行技術文献】
【特許文献】
【０００８】
【特許文献１】特開２００６−１０４６８０号公報
【特許文献２】特開２００６−２８３９７３号公報
【発明の概要】
【発明が解決しようとする課題】
【０００９】
しかし、いずれのダンパ位置調節装置においても、一本のダンパの位置を調節するものであるので、減衰力の調節範囲が限られ、広い範囲で減衰力を調節することができないという問題がある。減衰力の調節範囲を広くするために、ダンパを複数設けたとしても、個々にダンパの位置を調節する必要があるので、ダンパの位置の調整作業に手間がかかるという問題が残る。【００１０】
そこで本発明は、減衰力の調節範囲が広く、ダンパの位置の調整作業も容易なダンパ位置調節装置を提供することを目的とする。
【課題を解決するための手段】
【００１１】
上記課題を解決するために、本発明は、ダンパ本体に対して可動部がストロークする複数のダンパを平行に収納するダンパベースと、前記ダンパベースに回転可能に組み込まれ、前記複数のダンパのストローク方向の端部に接触する側壁を有するダンパ調節軸と、を備え、前記ダンパ調節軸をその軸線を中心にして回転させることによって、前記ダンパ調節軸の前記側壁が前記複数のダンパの少なくとも一つを前記可動部のストローク方向に押し出し、前記ダンパベースに対して前記複数のダンパの少なくとも一つの位置を変化させるダンパ位置調節装置により、上述した課題を解決する。
【発明の効果】
【００１２】
本発明によれば、ダンパベースに平行に配列された複数のダンパの少なくとも一つの位置をダンパ調節軸によって変化させるので、減衰力の調節範囲を広くすることができる。しかも、一つのダンパ調節軸によって複数のダンパの少なくとも一つの位置を変化させることができるので、減衰力の調節作業も容易になる。
【図面の簡単な説明】
【００１３】
【図１】本発明の一実施形態におけるダンパ位置調節装置が組み込まれる戸開閉装置の外観斜視図
【図２】扉に埋め込まれた戸開閉装置の外観斜視図（図中（ａ）は引込みアームが閉じた状態を示し、図中（ｂ）は引込みアームが開いている途中の状態を示す）
【図３】枠の下面に取り付けられた受座の斜視図
【図４】扉が開閉するときの、戸開閉装置の動作を示す図（図中（ａ）は扉が閉じられて引込みアームが受座軸をつかまえた状態を示し、図中（ｂ）は扉が閉じた状態を示す）
【図５】扉及び枠に取り付けられた戸開閉装置及び受座を示す（図中（ａ）は側面図を示し、図中（ｂ）は正面図を示す。図中（ｃ），（ｄ）は図中（ａ），（ｂ）に対応した断面図である）
【図６】戸開閉装置（ダンパ位置調節装置を含む）の分解斜視図
【図７】戸開閉装置の断面図
【図８】戸開閉装置の動作図（図中（ａ）は引込みアームが閉じた状態を示し、図中（ｂ）は引込みアームが開く途中の状態を示し、図中（ｃ）は引込みアームが開いた状態を示す）
【図９】ダンパベースの詳細図（図中（ａ）は平面図を示し、図中（ｂ）は正面図を示し、図中（ｃ）はＡ−Ａ線断面図を示し、図中（ｄ）は左側面図を示す）
【図１０】ダンパ調節軸の詳細図（図中（ａ）は正面図を示し、図中（ｂ）は平面図を示し、図中（ｃ）はＡ−Ａ線断面図を示し、図中（ｄ）はＢ−Ｂ線断面図を示し、図中（ｅ）はＣ−Ｃ線断面図を示す）
【図１１】ダンパ調節軸によって位置調整されたダンパを示す図（図中（ａ）はダンパを後退させた状態を示し、図中（ｂ）はダンパを前方に押し出した状態を示す）
【図１２】ダンパの位置とダンパ力との関係を示す模式図（図中（ａ）が重量扉対応で、図中（ｂ）が中量扉対応で、図中（ｃ）が軽量扉対応である）
【図１３】ダンパの位置とダンパ力との関係を示す模式図（図中（ａ）が重量扉対応で、図中（ｂ）が中量扉対応で、図中（ｃ）が軽量扉対応である）
【図１４】受座の斜視図
【図１５】受座の分解斜視図
【図１６】受座と引込みアームとの関係を示す図（図中（ａ）は受座軸が引込みアームの溝にはまった状態を示し、図中（ｂ）受座軸の小径部が引込みアームの溝にはまった状態を示す）
【発明を実施するための形態】
【００１４】
以下添付図面に基づいて本発明の一実施形態におけるダンパ位置調節装置３９が組み込まれた戸開閉装置を説明する。この実施形態においては、ダンパ位置調節装置３９は、扉の開閉動作をアシストする戸開閉装置に組み込まれる。ダンパ位置調節装置３９によって位置が調節されるダンパ３２は、戸開閉装置１のアーム４に接触し、アーム４が閉まるときの衝撃を緩和する（図６参照）。
【００１５】
図１は、戸開閉装置の外観斜視図を示す。戸開閉装置１は、扉の開閉動作をアシストするのに用いられ、受座を協働して、風等で扉が勢いよく閉められるときの衝撃を緩和したり、閉まりきらない状態の扉を完全に閉まるようにしたりする。
【００１６】
戸開閉装置１の本体ケース２は、細長い直方体形状に形成される。本体ケース２の天井部２ａには切欠き３が形成され、この切欠き３内に引込みアーム４が配置される。引込みアーム４は引込みアーム軸５を中心として水平方向に回転可能であり、切欠き３から出没可能である（図２参照）。
【００１７】
図２（ａ）に示すように、扉ｄの上面には、本体ケース２の外形形状に対応した四角形の穴６が掘り込まれ、戸開閉装置１は穴６内に埋め込まれる。扉ｄの上面には、本体ケース２の切欠き３に対応した位置に引込みアーム４の出没を可能にする切欠き７が形成される。図２（ａ）は、引込みアーム４が閉じた状態を示す。図２（ｂ）は、引込みアーム４が閉じた状態から回転し、扉ｄの切欠き７から出た状態を示す。
【００１８】
図３は、戸開閉装置１と協働する受座を示す。この図３には、扉ｄを囲む上側の枠ｆに取り付けられた受座８を下側からみた状態が示されている。受座８は、皿ねじ１０により枠ｆの下面に固定される受座ベース１１と、受座ベース１１から突出する受座軸１２と、を備える。図４（ａ）に示すように、扉ｄがある角度まで閉まってくると、開いた状態にある引込みアーム４が受座８の受座軸１２をつかまえる。引込みアーム４は受座軸をつかんだ状態で、閉じる方向に回転しようとする。そして、図４（ｂ）に示すように、引込みアーム４は扉ｄを完全に閉まった状態にする。
【００１９】
部屋から出て扉ｄを軽く閉めると、扉ｄが閉まりきらないときがある。扉ｄを軽く閉めても戸開閉装置１の引込みアーム４が受座軸１２をつかまえることによって、扉ｄを完全に閉めることができる。また、風等で開いた扉ｄが勢いよく閉められたりするときに、戸開閉装置１は、内部に設けられたダンパによって扉ｄに発生する衝撃を緩和し、扉ｄがゆっくり閉まるようにする。戸開閉装置１には、扉ｄを引き込む役割だけでなく、扉ｄの動きをゆっくりさせる役割も持つ。
【００２０】
図５は、戸開閉装置１、及び受座８が扉ｄ及び枠ｆに取り付けられた状態を示す。図中（ａ）は側面図を示し、図中（ｂ）は正面図を示す。図中（ｃ），（ｄ）は（ａ），（ｂ）に対応した断面図である。受座８は、皿ねじ１０によって枠ｆに固定される。戸開閉装置１は止めねじ１３によって扉ｄに固定される。この図に示すように、扉ｄが閉じた状態では、戸開閉装置１の引込みアーム４も閉じた状態にある。ただし、厳密にいえば、扉ｄが閉められた状態では、戸開閉装置１の引込みアーム４も閉じた状態から僅かに開く方向に回転している。戸開閉装置１の引込みアーム４によって閉じた状態の扉ｄにさらに閉じる方向の力を与え、扉ｄががたがたするのを防止するためである。
【００２１】
図６は、戸開閉装置の分解斜視図を示す。戸開閉装置１は、本体ケース２、本体ケース２に組み込まれるアームベース２１、アームベース２１に回転可能に支持される引込みアーム４、引込みアーム４に開く方向又は閉じる方向のトルクを与える付勢機構２２、及び引込みアーム４が閉じるときの衝撃を緩和するダンパ機構２３、を備える。アームベース２１は、本体ケース２の長さ方向の中央部に配置される。付勢機構２２は本体ケース２の長さ方向の一方側に配置され、ダンパ機構２３は本体ケース２の長さ方向の他方側に配置される。
【００２２】
各部品の概略の構造は以下のとおりである。本体ケース２は、天井部２ａと、一対の側壁部２ｂと、を有する。本体ケース２の断面形状は、コの字形状に形成される。本体ケース２の下面及び長さ方向の両端面には、部品を組み込むための開口２４ａ，２４ｂが形成される。また、本体ケース２の天井部２ａには、引込みアーム４を出没させるための切欠き３が形成される。この本体ケース２は、薄板を曲げ加工する板金により製造される。
【００２３】
アームベース２１は、本体ケース２の長さ方向の中央に配置され、構造上及び組立上、中心になる部品である。アームベース２１は、略コの字形状に形成され、互いに対向する第一及び第二の壁部２１ａ，２１ｂを有する。第一及び第二の壁部２１ａ，２１ｂ間に引込みアーム４を挿入し、下側から引込みアーム軸５をアームベース２１及び引込みアーム４に貫通させることにより、引込みアーム４がアームベース２１に回転可能に連結される。アームベース２１に引込みアーム４を連結させた後、アームベース２１は本体ケース２に挿入されて結合される。アームベース２１と本体ケース２との結合には、リベット、ビス等が用いられる。アームベース２１及び本体ケース２には、アームベース２１を本体ケース２に結合するための取付け孔２１ｃ，２ｃが空けられる。
【００２４】
引込みアーム４は、引込みアーム軸５を中心にして回転する。引込みアーム４には、引込みアーム軸５から偏心した位置に第一及び第二のリンク軸２６，２７が挿入される。図７に示すように、第一のリンク軸２６には、付勢機構２２のコイルばね２８の力が常に加わっている。このコイルばね２８のばね力によって、引込みアーム４に扉ｄを引き込む力が働く。第二のリンク軸２７には、ダンパ機構２３のスライドブロック３１が連結される。引込みアーム４が閉じる方向に回転するとき、スライドブロック３１はダンパ３２のロッド３２ａの頭部を押す。このため、引込みアーム４が閉じる方向に素早く回転しようとしても、ダンパ３２が引込みアーム４をゆっくり回転させる。
【００２５】
図６に示すように、付勢機構２２は、上記第一のリンク軸２６、リンクプレート３３、スライドばねケース３４、コイルばね２８、ばねベース３５から構成される。
【００２６】
引込みアーム４には、スリット４ａが形成されている。スリット４ａにリンクプレート３３を挟み込んだ状態で、第一のリンク軸２６を上から引込みアーム４及びリンクプレート３３に貫通させることにより、引込みアーム４にリンクプレート３３が連結される。リンクプレート３３の他方の端部には、ばね連結軸３６が嵌め込まれる。このばね連結軸３６を介してリンクプレート３３にスライドばねケース３４が連結される。
【００２７】
スライドばねケース３４は、本体ケース２に直線運動可能に組み込まれる。スライドばねケース３４の側面には、直線的に細長く伸びる突起３４ａが形成される。本体ケース２には、この突起３４ａが嵌まるスリット２ｄが形成される。本体ケース２に対するスライドばねケース３４の直線運動は、本体ケース２のスリット２ｄによって案内される。
【００２８】
スライドばねケース３４には、コイルばね２８の径よりも僅かに大きな穴が空けられていて、この穴内にコイルばね２８が入る。コイルばね２８を介してスライドばねケース３４の反対側には、コイルばね２８の径よりも僅かに大きな穴が空けられたばねベース３５が配置される。スライドばねケース３４とばねベース３５との間でコイルばね２８を圧縮する。ばねベース３５は、本体ケース２の端部にリベットやビス等を使用して固定される。ばねベース３５及び本体ケース２には、ばねベース３５を本体ケース２に結合するための取付け孔３５ａ，２ｅが空けられる。
【００２９】
ダンパ機構２３は、第二のリンク軸２７、スライドブロック３１、ダンパ３２、及びダンパのストローク方向の位置を調節するダンパ位置調節装置３９から構成される。ダンパ位置調節装置３９は、ダンパベース３８、及びダンパベース３８に回転可能に組み込まれるダンパ位置調節装置３９から構成される。
【００３０】
引込みアーム４には、スライドブロック３１が挿入される切欠き４ｂが形成されている。引込みアーム４の切欠き４ｂにスライドブロック３１を挿入し、上から第二のリンク軸２７を引込みアーム４及びスライドブロック３１に貫通させることにより、スライドブロック３１が引込みアーム４に連結される。スライドブロック３１には、第二のリンク軸２７が貫通する長孔３１ａが形成されている。引込みアーム４が回転するとき、スライドブロック３１を直線運動させるためである。図７に示すように、スライドブロック３１には、ダンパ３２のロッド３２ａの頭部が挿入される。スライドブロック３１の直線運動は、アームベース２１の壁面２１ｄ及び本体ケース２の内壁面２ｆに案内される。
【００３１】
図６に示すように、ダンパ３２には、ダンパ本体部としてのシリンダ３２ｂに対して可動部としてのロッド３２ａがストロークする伸縮式のダンパ３２が用いられる。ロッド３２ａにはシリンダ３２ｂ内に挿入されるピストンが一体に設けられる。シリンダ３２ｂには、オイル、グリース等の粘性流体が充填される。シリンダ３２ｂに対してロッド３２ａのピストンがストロークするとき、粘性流体がピストンの動きに抵抗し、減衰力を発生させる。また、シリンダ３２ｂ内には、圧縮されたロッド３２ａを元の位置に復元するためのコイルスプリングが設けられる。この実施形態では、二本のダンパ３２がそのロッドの軸線が互いに平行になるように、上下に配列される。
【００３２】
本体ケース２の端部には、リベットやビス等を使用してダンパベース３８が結合される。ダンパベース３８及び本体ケース２には、ダンパベース３８を本体ケース２に結合するための取付け孔３８ａ，２ｇが空けられる。ダンパベース３８は、ダンパ３２の押えとして機能する。ダンパベース３８には、ダンパ３２の減衰力を調整するためのダンパ調節軸４０が組み込まれる。ダンパ調節軸４０の側壁４４は、ダンパ３２のシリンダ３２ｂの尻部に当接している。ダンパ調節軸４０を回転させることによって、ダンパ調節軸４０の側壁４４が上下二本のダンパ３２のシリンダ３２ｂをロッドのストローク方向に押し出し、二本のダンパ３２の位置を変化させる。
【００３３】
ダンパベース３８の三つの孔のうちの一つ４１ａが戸開閉装置１を扉ｄに取り付けるための孔である。残りの左右の二つの孔４１ｂには、ダンパ調節軸４０が挿入される。左右の二つの孔４１ｂは、扉ｄの右開き、左開きに対応するために設けられる。扉ｄの開く方向によって本体ケース２から引込みアーム４が出る方向が異なる。一つの部品で扉ｄの二つの開き方向に対応するために、二つの孔４１ｂが空けられている。ダンパベース３８には、上下二本のダンパ３２を収納するためのダンパ収納部３８ｂが形成される。このダンパ収納部３８ｂも扉ｄの二つの開き方向に対応して二つ設けられている。なお、扉ｄの開き方向によって、本体ケース２の切欠き３の位置も変わってくるが、薄板の曲げ方向を変えることで対応でき、薄板の抜き型は一つですむ。
【００３４】
本実施形態によれば、ダンパベース３８に平行に配列された二本のダンパ３２の位置を変化させるので、減衰力の調節範囲を広くすることができる。しかも、一つのダンパ調節軸４０によって二本のダンパ３２の位置を同時に変化させることができるので、減衰力の調節作業も容易になる。詳しくは後述するが、一つのダンパ調節軸４０は、二本のダンパ３２のストローク方向の位置を一致させたり、二本のダンパ３２のストローク方向の位置を異ならせたりする。二本のダンパ３２のストローク方向の位置を一致させたり、異ならせたりできれば、多段階で減衰力を調節することができる。
【００３５】
戸開閉装置１の動きは以下のとおりである。図８（ａ）に示すように、引込みアーム４は閉じた状態から、図８（ｃ）に示すように、開いた状態まで回転する。引込みアーム４が閉じた状態では、付勢機構２２のコイルばね２８のばね力によって、引込みアーム４にはさらに閉じる方向に回転する力が付与される。コイルばね２８のばね力に抗して、引込みアーム４を開く方向に回転させると、付勢機構２２の思案点に到達する。引込みアーム４をさらに開く方向に回転させ、付勢機構２２の思案点を過ぎると、図８（ｃ）に示すように、コイルばね２８のばね力によって、引込みアーム４を開く方向に回転する力が発生する。なお、思案点では、引込みアーム軸５と第一のリンク軸２６を結んだ線とリンクプレート３３の伸びる方向とが一致し、引込みアーム４を回転させようとする力が生じない。
【００３６】
図８（ｃ）に示す開いた状態の扉ｄを閉じるとき、引込みアームを反時計方向に回転させる。図８（ｂ）に示すように、付勢機構２２の思案点を過ぎると、コイルばね２８のばね力によって、引込みアーム４に閉じる方向に回転する力が付与される。このため、扉ｄを自動的に閉めることが可能になる。また、引込みアーム４の閉じる方向への回転に伴い、スライドブロック３１がダンパ３２のロッド３２ａの頭部を押す。このため、引込みアーム４をゆっくり回転させることが可能になる。
【００３７】
引込みアーム４が閉じる方向に回転するとき、スライドブロック３１をダンパ３２のロッド３２ａの頭に当接させ、ダンパ３２がスライドブロック３１の直線運動に抵抗するようにする。その一方、引込みアーム４が開く方向に回転するとき、スライドブロック３１がダンパ３２のロッドの頭から離れ、ダンパ３２がスライドブロック３１の直線運動に抵抗しないようにする。扉ｄを開くときは抵抗がない方がよいからである。図７に示すように、スライドブロック３１とダンパ３２のロッド３２ａの頭とは連結されておらず、スライドブロック３１内にロッド３２ａの頭が入っているだけである。スライドブロック３１がダンパ３２から離れたときに、スライドブロック３１及びダンパ３２が遊ばないように、アームベース２１及び本体ケース２は、スライドブロック３１及びダンパ３２をガイドする。
【００３８】
戸開閉装置１の組み立て方法は以下のとおりである。図６に示すように、まず、引込みアーム４のスリット４ａにリンクプレート３３を入れ、引込みアーム４に上から第一のリンク軸２６を通して、引込みアーム４にリンクプレート３３を連結する。次に、引込みアーム４の切欠き４ｂにスライドブロック３１を入れ、引込みアーム４に上から第二のリンク軸２７を通して、引込みアーム４にスライドブロック３１を連結する。引込みアーム４にリンクプレート３３及びスライドブロック３１を連結した状態で、引込みアーム４をアームベース２１の対向する第一及び第二の壁部２１ａ，２１ｂ間に挟み、下からアーム軸５を通してアームベース２１に引込みアーム４を連結する。
【００３９】
そして、アームベース２１に引込みアーム４をアッセンブリーした状態で、アームベース２１を本体ケース２の中に入れる。引込みアーム軸５を本体ケース２の天井部２ａに通し、引込みアーム軸５の端部を平座金４３で止め、また本体ケース２及びアームベース２１の取付け孔２ｃ，２１ｃにリベットを通し、リベットをかしめることにより、アームベース２１を本体ケース２に結合する。
【００４０】
次に、リンクプレート３３にばね連結軸３６を嵌め、本体ケース２のスリット２ｄにスライドばねケース３４を嵌め、ばね連結軸３６にスライドばねケース３４を連結する。スライドばねケース３４にコイルばね２８を入れ、本体ケース２の端部の開口からばねベース３５を挿入し、本体ケース２及びばねベース３５の取付け孔２ｅ，３５ａにリベットを通し、リベットをかしめることにより、ばねベース３５を本体ケース２に結合する。
【００４１】
次に、本体ケース２の反対側の端部の開口から二本のダンパ３２をアームベース２１内に挿入する。本体ケース２のからダンパベース３８を挿入し、本体ケース２及びダンパベース３８の取付け孔２ｇ，３８ａにリベットを通し、リベットをかしめることにより、ダンパベース３８を本体ケース２に結合する。
【００４２】
以上により、全ての部品のアッセンブリーが終了する。あらかじめアームベース２１に、引込みアーム４、リンクプレート３３及びスライドブロック３１をサブアッセンブリーした状態で、アームベース２１を本体ケース２に組み込むので、組み立て作業を簡単にすることができる。本体ケース２に結合されるのは、アームベース２１、ばねベース３５及びダンパベース３８の三つの部品のみである。
【００４３】
ダンパ位置調節装置３９のダンパベース３８、ダンパ調節軸４０の詳細な構造は以下のとおりである。図９は、ダンパベース３８の詳細図を示す。ダンパベース３８には、上下二本のダンパ３２が収納されるダンパ収納部３８ｂ、ダンパ３２の強さを調整するダンパ調節軸４０が挿入される孔４１ｂが形成される。孔４１ｂに挿入されたダンパ調節軸４０の側壁４４は、ダンパ収納部３８ｂ内で露出する。扉ｄの右開き及び左開きに対応するために、ダンパ収納部３８ｂ及び孔４１ｂは二つずつ設けられる。ダンパベース３８のダンパ収納部３８ｂは、本体ケース２の側壁２ｂと協働して、ダンパ３２が収納される収納枠を形成する。ダンパベース３８には、戸開閉装置１を扉上面に取り付けるための孔４１ａも形成される。
【００４４】
図１０は、ダンパベース３８の孔４１ｂに挿入されるダンパ調節軸４０を示す。ダンパ調節軸４０の側壁４４の断面形状は、上段４０ａ、中段４０ｂ、下段４０ｃ及び最下段４０ｄで異なる。図中（ａ）に示すように、ダンパ調節軸４０の上段である円形部４０ａの断面形状は、円形状であり、その外周面には、１２０度の間隔を空けて三つの位置決め凸部５１が形成されている。ダンパベース３８の孔４１ｂの内周面には、位置決め凸部５１に嵌まる三つの位置決め凹部が１２０度の間隔を空けて形成される。ダンパ調節軸４０の上面には、十文字状の溝６３が形成される。ダンパ調節軸４０の十文字状の溝６３にドライバを当て、ドライバを回転させることで、ダンパ調節軸４０を回転することができる。ダンパ調節軸４０は、位置決め凸部５１と位置決め凹部との係合によって、１２０度回転する毎に位置決めされる。ダンパ調節軸４０の最下段４０ｄの断面は、上段の円形部４０ａと同様に円形状に形成される。ダンパ調節軸４０の最下段４０ｄはダンパベース３８の孔４１ｂの下部に嵌められる（図９（ｂ）参照）。
【００４５】
図１０中（ｄ）に示すように、ダンパ調節軸４０の側壁４４の中段４０ｂの断面形状は、三角形である。中段の三角形の一辺５２ａは、回転中心Ｐからの距離が近く、その距離はαである。残りの二辺５２ｂ，５２ｃは回転中心Ｐからの距離が遠く、その距離はβである。ダンパ調節軸４０の中段の高さは、二つのダンパ３２のうちの上方のダンパ３２の高さに等しく、ダンパ調節軸４０の中段４０ｂの三角形の一辺５２ａ〜５２ｃが上方のダンパ３２のシリンダに接触する。ダンパ調節軸４０を回転させることにより、ダンパ３２のシリンダに接触する一辺５２ａ〜５２ｃを変化させることができる。辺５２ａがダンパ３２に接触するときは、ダンパ３２を後方に下げることができ、辺５２ｂ，５２ｃがダンパ３２に接触するときはダンパ３２を前方に押し出すことができる。図１１（ａ）は、ダンパ３２を後ろに後退させた状態を示し、図１１（ｂ）は、ダンパ調節軸４０によってダンパ３２を前方に押し出した状態を示す。
【００４６】
図１０（ｅ）に示すように、ダンパ調節軸４０の側壁４４の下段４０ｃの断面形状も、三角形であるが、その断面形状は側壁の中段４０ｂの断面形状と異なる。これにより、二本のダンパのストローク方向の位置を一致させたり、異ならせたりすることができる。すなわち、図中（ｅ）に示すように、下段の三角形の二辺５３ａ，５３ｂは、回転中心からの距離が近く、その距離はαである。残りの一辺５３ｃは、回転中心からの距離が遠く、その距離はβである。ダンパ調節軸４０の下段４０ｃの高さは、二つのダンパ３２のうちの下方のダンパ３２の高さに等しく、ダンパ調節軸４０の下段４０ｃの三角形の一辺が下方のダンパ３２のシリンダに接触する。ダンパ調節軸４０を回転させることにより、ダンパ３２のシリンダに接触する辺を変化させることができる。辺５３ａ，５３ｂがダンパ３２に接触するときは、ダンパ３２を後方に下げることができ、辺５３ｃがダンパ３２に接触するときはダンパ３２を前方に押し出すことができる。
【００４７】
このダンパ調節軸４０を用いれば、ダンパ調節軸４０を１２０度毎回転する毎に二本のダンパ３２の位置を三段階に調整することができる。すなわち、図１２（ａ）に示すように、二本のダンパ３２を前方に押し出す状態と、図１２（ｂ）に示すように、上方のダンパ３２を押し出し、下方のダンパ３２を押し出さない状態と、図１２（ｃ）に示すように、二本のダンパ３２を押し出さない状態と、に順次切り替えることができる。ダンパ力（減衰力）も大・中・小の三段階に切り替えることができる。この実施形態においては、ダンパ３２には、ロッド３２ａのストロークの最後の例えば５ｍｍだけダンパ力が強くなるものが用いられる。スライドブロック３１のストロークに対するダンパ力は、図１２中の右の欄で示されるグラフのようになる。
【００４８】
図１２（ａ）に示すように、ダンパ調節軸４０が二本のダンパ３２を押し出した状態では、扉ｄが閉まる当初から大きなダンパ力を発生させることができる。そして、ダンパ３２のロッド３２ａのストロークが所定量以上になったとき、最も大きなダンパ力を発生させることができる。このため、重量扉に対応できるようになる。
【００４９】
図１２（ｂ）に示すように、ダンパ調節軸４０が上方のダンパ３２を押し出し、下方のダンパ３２を押し出さない状態では、ロッド３２ａのストロークに伴いダンパ力が階段状に増加する。扉ｄが閉まる当初には、上方のダンパ３２のみから減衰力が発生する。その後、上下二本のロッド３２から減衰力が発生し、その後、上方のダンパ３２から発生する減衰力がさらに大きくなる。図１２（ｂ）の状態では、ダンパ力が中になり、中量扉に対応できるようになる。
【００５０】
図１２（ｃ）に示すように、ダンパ調節軸が二本のダンパ３２を押し出さない状態では、ダンパ３２とダンパ調節軸４０の辺との間にすきまが空いている。扉ｄが閉まる当初には、ダンパ力が一切発生しない。扉ｄが所定のストローク閉まると、二本のダンパ３２のダンパ力を合算したダンパ力が発生するようになる。扉ｄが完全にしまったときには、ロッド３２ａはダンパ力が大きくなるまでストロークしていないので、図中（ａ）や（ｂ）に示されるほどの大きなダンパ力は発生しない。図１２（ｃ）の状態では、ダンパ力が小になり、軽量扉に対応できるようになる。
【００５１】
なお、「ダンパ３２を押出す」とは、上述のように、ダンパ３２に接触するダンパ調節軸４０の側壁４４がダンパ３２を押し出す場合の他、ダンパ３２に接触していない状態のダンパ調節軸４０の側壁４４の位置が変化し、ダンパ３２の位置が変化しない場合も含む。例えば、図１２（ｃ）に示す状態から、ダンパ調節軸４０の側壁４４をダンパ３２に当接しない範囲でスライドブロック３１に向かって移動させる場合も含む。この場合でも、減衰力を調節できるからである。
【００５２】
ロッドのストロークによらず、ダンパ力が一定のダンパ３２を用いてもよい。図１３は、ダンパ力が一定の二本のダンパ３２を用い、ダンパ調節軸４０によってダンパ３２のストローク方向の位置を変化させた状態（図中左欄）、及びそのときに発生するダンパ力（図中右欄）を示す。この例でも、二本のダンパ３２のストローク方向の位置は三段階に切り替えられる。すなわち、図１３（ａ）に示すように、ダンパ調節軸４０が二本のダンパ３２を前方に押し出す状態と、図１３（ｂ）に示すように、ダンパ調節軸４０が上方のダンパ３２を押し出し、下方のダンパ３２を押し出さない状態と、図１３（ｃ）に示すように、ダンパ調節軸４０が二本のダンパ３２を押し出さない状態と、に順次切り替えられる。ダンパ力（減衰力）は、図１２中右欄に示すように、大・中・小の三段階に切り替えられる。
【００５３】
図１４及び図１５は、受座８の詳細図を示す。図１４は受座８の斜視図を示し、図１５は受座８の分解斜視図を示す。図１４に示すように、受座８は、枠ｆに取り付けられる受座ベース１１と、受座ベース１１から突出する受座軸１２と、を備える。戸開閉装置１の引込みアーム４は、受座８の受座軸１２をつかまえ、扉ｄを開閉する。
【００５４】
図１５に示すように、受座ベース１１は矩形状に形成される。受座ベース１１の四隅には、四つの皿ねじ取付け孔１１ａが空けられる。受座ベース１１の中央の孔１１ｂには、受座軸１２が嵌められる。
【００５５】
受座軸１２は、中空円筒状の受座外軸５４、一端面が閉じられた筒状の受座内軸５５、裏蓋５６から構成される。受座外軸５４の外周面にはフランジ５４ａが形成され、受座外軸５４はそのフランジ５４ａが受座ベース１１に当接するまで受座ベース１１の孔１１ｂに嵌められる。裏蓋５６は、受座ベース１１の背面側から受座外軸５４に結合される。裏蓋５６には、受座ばね５７の中央に入り込んで受座ばね５７を支持する支持棒５６ａが形成される。
【００５６】
受座外軸５４には受座内軸５５が嵌め込まれる。受座内軸５５は、先端部が閉じられた略円筒形状に形成される。受座内軸５５の先端部には、円筒形状の小径部が形成される。すなわち、受座内軸５５は、小径部５５ａと、小径部と同心円の大径部５５ｂと、が形成される。小径部５５ａ及び大径部５５ｂによって、受座内軸５５の先端部には、段が付けられる。受座内軸５５の大径部５５ｂには、受座ばね５７が挿入される。受座ばね５７は、受座内軸５５と裏蓋５６との間に介在し、受座内軸５５を受座外軸５４から突出させようとする。受座内軸５５のフランジ５５ｃが受座外軸５４の内周面の段差に当接するまで、受座内軸５５を受座外軸５４から突出する。もちろん、受座内軸５５を受座ばね５７のばね力に抗して受座外軸５４内に押し込むこともできる。
【００５７】
図１６（ａ）に示すように、扉ｄが閉じた状態では、扉ｄががたがたするのを防止するために、扉ｄが枠ｆに当たっても、戸開閉装置１の引込みアーム４は受座軸１２をつかんで扉ｄにさらに閉じる方向の力を与える。すなわち、扉ｄが閉じた状態では、引込みアーム４自体は、完全に閉じた状態まで回転してはおらず、閉じた状態から僅かに手前の回転角度になっていて、閉じる方向に回転できる余地をもっている。
【００５８】
いたずら等で誤って、開いた状態の引込みアーム４を閉じた状態にしてしまった場合、引込みアーム４が閉じた状態まで回転してしまう。この場合、扉ｄを閉じ、受座軸１２を引込みアーム４の溝４８ａに嵌めた復帰状態にしようとしても、受座軸１２を引込みアーム４の溝４８ａに嵌めることができなくなってしまう。図１６（ｂ）に示すように、受座軸１２の先端部に小径部５５ａを形成することで、引込みアーム４が閉じた状態まで回転していても、大径部５５ｂと小径部５５ａの径の差分だけ、小径部５５ａを引込みアーム４の溝４８ａに引っ掛けることができるようになる。受座軸１２の小径部５５ａを引込みアーム４の溝３８ａに引っ掛けることができれば、引込みアーム４を開いた状態まで回転させることができ、次に使用するときは、受座軸１２を引込みアーム４の溝４８ａに引っ掛けることができ、普通に戸開閉装置１を使用できるようになる。
【００５９】
なお、本発明は上記実施形態に具現化されるのに限られることはなく、本発明の要旨を変更しない範囲で様々な実施形態に変更できる。
【００６０】
ダンパベースは本体ケースを介してでなはく、直接枠又は扉に取り付け、複数本のダンパを直接扉に当接させてもよい。この場合、ダンパベースのダンパ収納部には、ダンパの脱落を防止できるようにダンパ囲む枠状の壁が形成される。
【００６１】
本発明のダンパ位置調節装置は、建築物の扉だけではなく、建築物の引き戸、家具の扉、引出しのダンパにも適用することができる。
【００６２】
本明細書は、２００９年８月２１日出願の特願２００９−１９１８６８に基づく。この内容はすべてここに含めておく。
【符号の説明】
【００６３】
３２…ダンパ
３２ａ…可動部（ロッド）
３２ｂ…シリンダ（ダンパ本体）
３８…ダンパベース
３８ｂ…ダンパ収納部
４０…ダンパ調節軸
４４…ダンパ調節軸の側壁
４１ｂ…ダンパベースの孔
４０ａ…ダンパ調節軸の円形部
４０ｂ…ダンパ調節軸の中段（複数のダンパのうちの一つに接触する部分）
４０ｃ…ダンパ調節軸の下段（複数のダンパのうちの他の一つに接触する部分）
５１…位置決め凸部
５２ａ，５３ｃ…三角形の一つの辺（少なくとも一つの辺）
５２ｂ，５２ｃ，５３ｂ，５３ｃ…三角形の残りの二つの辺（残りの少なくとも一つの辺）
【図１】
2011021631.tif 000003
【図２】
2011021631.tif 000004
【図３】
2011021631.tif 000005
【図４】
2011021631.tif 000006
【図５】
2011021631.tif 000007
【図６】
2011021631.tif 000008
【図７】
2011021631.tif 000009
【図８】
2011021631.tif 000010
【図９】
2011021631.tif 000011
【図１０】
2011021631.tif 000012
【図１１】
2011021631.tif 000013
【図１２】
2011021631.tif 000014
【図１３】
2011021631.tif 000015
【図１４】
2011021631.tif 000016
【図１５】
2011021631.tif 000017
【図１６】
2011021631.tif 000018
【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
ダンパ本体に対して可動部がストロークする複数のダンパを平行に収納するダンパベースと、
前記ダンパベースに回転可能に組み込まれ、前記複数のダンパのストローク方向の端部に接触する側壁を有するダンパ調節軸と、を備え、
前記ダンパ調節軸をその軸線を中心にして回転させることによって、前記ダンパ調節軸の前記軸線の回りを回転する側壁が、前記複数のダンパの少なくとも一つを前記可動部のストローク方向に押し出し、前記ダンパベースに対して前記複数のダンパの少なくとも一つの位置を変化させるダンパ位置調節装置。
【請求項２】
ダンパ本体に対して可動部がストロークする複数のダンパを平行に収納するダンパベースと、
前記ダンパベースに回転可能に組み込まれ、前記複数のダンパのストローク方向の端部に接触する側壁を有するダンパ調節軸と、を備え、
前記ダンパ調節軸をその軸線を中心にして回転させることによって、前記ダンパ調節軸の前記側壁が前記複数のダンパの少なくとも一つを前記可動部のストローク方向に押し出し、前記ダンパベースに対して前記複数のダンパの少なくとも一つの位置を変化させ、
前記ダンパ調節軸をその軸線を中心にして回転させることによって、前記複数のダンパの前記ストローク方向の位置を一致させたり、前記複数のダンパの前記ストローク方向の位置を異ならせたりすることができるダンパ位置調節装置。
【請求項３】
前記ダンパ調節軸をその軸線を中心にして回転させることによって、前記複数のダンパを押し出していない状態、前記複数のダンパの少なくとも一つを押し出し、残りの少なくとも一つを押し出していない状態、前記複数のダンパを押し出ている状態に切り替わることを特徴とする請求項２に記載のダンパ位置調節装置。
【請求項４】
ダンパ本体に対して可動部がストロークする複数のダンパを平行に収納するダンパベースと、
前記ダンパベースに回転可能に組み込まれ、前記複数のダンパのストローク方向の端部に接触する側壁を有するダンパ調節軸と、を備え、
前記ダンパ調節軸をその軸線を中心にして回転させることによって、前記ダンパ調節軸の前記側壁が前記複数のダンパの少なくとも一つを前記可動部のストローク方向に押し出し、前記ダンパベースに対して前記複数のダンパの少なくとも一つの位置を変化させ、
前記ダンパ調節軸の前記側壁の断面形状が、前記ダンパに接触する辺を有する多角形に形成され、
前記多角形の少なくとも一つの辺は、前記ダンパ調節軸の回転中心からの距離が残りの少なくとも一つの辺と異なり、
前記ダンパ調節軸の前記側壁は、前記複数のダンパのうちの一つに接触する部分の多角形の断面形状が、他の一つのダンパに接触する部分の多角形の断面形状と異なるダンパ位置調節装置。
【請求項５】
ダンパ本体に対して可動部がストロークする複数のダンパを平行に収納するダンパベースと、
前記ダンパベースに回転可能に組み込まれ、前記複数のダンパのストローク方向の端部に接触する側壁を有するダンパ調節軸と、を備え、
前記ダンパ調節軸をその軸線を中心にして回転させることによって、前記ダンパ調節軸の前記側壁が前記複数のダンパの少なくとも一つを前記可動部のストローク方向に押し出し、前記ダンパベースに対して前記複数のダンパの少なくとも一つの位置を変化させ、
前記ダンパ調節軸は、外周面に周方向に一定の間隔を空けて複数の位置決め凸部又は複数の位置決め凹部を含む円形部を有し、
前記ダンパベースには、前記ダンパ調節軸の前記円形部が嵌められる孔が空けられ、
前記孔には、内周面に周方向に一定の間隔を空けて前記ダンパ調節軸の複数の位置決め凸部又は複数の位置決め凹部に対応する複数の位置決め凹部又は複数の位置決め凸部が形成され、
前記ダンパベースの前記孔内で前記ダンパ調節軸が一定の角度回転する毎に前記位置決め凸部と前記位置決め凹部とが係合し、前記ダンパ調節軸を位置決めすることができるダンパ位置調節装置。
【手続補正２】
【補正対象書類名】明細書
【補正対象項目名】００１１
【補正方法】変更
【補正の内容】
【００１１】
上記課題を解決するために、本発明の一態様は、ダンパ本体に対して可動部がストロークする複数のダンパを平行に収納するダンパベースと、前記ダンパベースに回転可能に組み込まれ、前記複数のダンパのストローク方向の端部に接触する側壁を有するダンパ調節軸と、を備え、前記ダンパ調節軸をその軸線を中心にして回転させることによって、前記ダンパ調節軸の前記軸線の回りを回転する側壁が、前記複数のダンパの少なくとも一つを前記可動部のストローク方向に押し出し、前記ダンパベースに対して前記複数のダンパの少なくとも一つの位置を変化させるダンパ位置調節装置である。
また、本発明の他の態様は、ダンパ本体に対して可動部がストロークする複数のダンパを平行に収納するダンパベースと、前記ダンパベースに回転可能に組み込まれ、前記複数のダンパのストローク方向の端部に接触する側壁を有するダンパ調節軸と、を備え、前記ダンパ調節軸をその軸線を中心にして回転させることによって、前記ダンパ調節軸の前記側壁が前記複数のダンパの少なくとも一つを前記可動部のストローク方向に押し出し、前記ダンパベースに対して前記複数のダンパの少なくとも一つの位置を変化させ、前記ダンパ調節軸をその軸線を中心にして回転させることによって、前記複数のダンパの前記ストローク方向の位置を一致させたり、前記複数のダンパの前記ストローク方向の位置を異ならせたりすることができることを特徴とするダンパ位置調節装置である。
本発明のさらに他の態様は、ダンパ本体に対して可動部がストロークする複数のダンパを平行に収納するダンパベースと、前記ダンパベースに回転可能に組み込まれ、前記複数のダンパのストローク方向の端部に接触する側壁を有するダンパ調節軸と、を備え、前記ダンパ調節軸をその軸線を中心にして回転させることによって、前記ダンパ調節軸の前記側壁が前記複数のダンパの少なくとも一つを前記可動部のストローク方向に押し出し、前記ダンパベースに対して前記複数のダンパの少なくとも一つの位置を変化させ、前記ダンパ調節軸の前記側壁の断面形状が、前記ダンパに接触する辺を有する多角形に形成され、前記多角形の少なくとも一つの辺は、前記ダンパ調節軸の回転中心からの距離が残りの少なくとも一つの辺と異なり、前記ダンパ調節軸の前記側壁は、前記複数のダンパのうちの一つに接触する部分の多角形の断面形状が、他の一つのダンパに接触する部分の多角形の断面形状と異なるダンパ位置調節装置である。
本発明のさらに他の態様は、ダンパ本体に対して可動部がストロークする複数のダンパを平行に収納するダンパベースと、前記ダンパベースに回転可能に組み込まれ、前記複数のダンパのストローク方向の端部に接触する側壁を有するダンパ調節軸と、を備え、前記ダンパ調節軸をその軸線を中心にして回転させることによって、前記ダンパ調節軸の前記側壁が前記複数のダンパの少なくとも一つを前記可動部のストローク方向に押し出し、前記ダンパベースに対して前記複数のダンパの少なくとも一つの位置を変化させ、前記ダンパ調節軸は、外周面に周方向に一定の間隔を空けて複数の位置決め凸部又は複数の位置決め凹部を含む円形部を有し、前記ダンパベースには、前記ダンパ調節軸の前記円形部が嵌められる孔が空けられ、前記孔には、内周面に周方向に一定の間隔を空けて前記ダンパ調節軸の複数の位置決め凸部又は複数の位置決め凹部に対応する複数の位置決め凹部又は複数の位置決め凸部が形成され、前記ダンパベースの前記孔内で前記ダンパ調節軸が一定の角度回転する毎に前記位置決め凸部と前記位置決め凹部とが係合し、前記ダンパ調節軸を位置決めすることができるダンパ位置調節装置である。
【国際調査報告】
2011021631.tif 000019
2011021631.tif 000020
2011021631.tif 000021
2011021631.tif 000022